(57)【特許請求の範囲】
【請求項１】
第１のコンピュータと第２のコンピュータが計算機ネットワークを介して接続されており、
前記第１のコンピュータは、
参照先文書を格納した電子文書格納手段と、
有効期限および有効期限になった時に前記参照先文書に対して行われる操作が削除，移動，更新の内の何れであるのかを示す操作種別を含む有効期限情報を前記参照先文書に設定する有効期限設定手段とを含んで構成され、
前記第２のコンピュータは、
前記参照先文書へのリンク情報を含んだ参照元文書を格納した電子文書格納手段と、
前記参照元文書が参照する参照先文書をリンク情報に基づいて取得する参照文書取得手段と、
該参照文書取得手段で取得された参照先文書に設定された有効期限情報を検出する有効期限解析手段と、
該有効期限解析手段の解析結果に基づいて参照先文書の有効期限情報を参照先文書へのリンク情報に関連付けて有効期限格納手段に格納する有効期限登録制御手段と、
参照先文書へのリンク情報と関連付けられて前記有効期限格納手段に格納されている有効期限情報に含まれている操作種別が削除或いは更新である場合は、有効期限よりも前の時点で前記リンク情報によって示される参照先文書をバックアップ文書格納手段へバックアップすると共に参照元文書中のリンク情報を前記バックアップ文書格納手段にバックアップした前記参照先文書を指し示すものに変更し、移動である場合は、有効期限になった時点に於いて参照元文書中のリンク情報を前記参照先文書の移動先を示すものに変更する期限文書処置手段とを含んで構成されることを特徴とする分散情報確保装置。
【請求項２】
第１のコンピュータと第２のコンピュータと第３のコンピュータが計算機ネットワークを介して接続されており、
前記第１のコンピュータは、
参照先文書を格納した電子文書格納手段と、
有効期限および有効期限になった時に前記参照先文書に対して行われる操作が削除，移動，更新の内の何れであるかを示す操作種別を含む有効期限情報を前記参照先文書に設定する有効期限設定手段とを含んで構成され、
前記第２のコンピュータは、
前記参照先文書へのリンク情報を含んだ参照元文書を格納した電子文書格納手段と、
前記参照元文書が参照する参照先文書をリンク情報に基づいて取得する参照文書取得手段と、
該参照文書取得手段によって取得された参照先文書に設定されている有効期限情報を検出する有効期限解析手段と、
該有効期限解析手段の解析結果に基づいて参照先文書の有効期限情報を参照先文書へのリンク情報に関連付けで有効期限格納手段に格納する有効期限登録制御手段と、
参照先文書へのリンク情報と関連付けられて前記有効期限格納手段に格納されている有効期限情報に含まれている操作種別が削除或いは更新である場合は、有効期限よりも前の時点で前記リンク情報によって示される参照先文書を前記第３のコンピュータで確保することを指示すると共に参照元文書中のリンク情報を前記第３のコンピュータに確保された参照先文書を指し示すものに変更し、移動である場合は、有効期限になった時点に於いて参照元文書中のリンク情報を前記参照先文書の移動先を指し示すものに変更する期限文書処置手段と、
該期限文書処置手段からの指示を受けて前記第３のコンピュータに参照先文書の確保を要求する確保要求発生手段とを含んで構成され、
前記第３のコンピュータは、
前記第２のコンピュータから確保要求を受理する確保要求受理手段と、
該確保要求受理手段が受理した要求に従って前記第１のコンピュータから参照先文書を取得してバックアップ文書格納手段に格納する参照文書取得手段とを含んで構成されることを特徴とする分散情報確保装置。
【請求項３】
第１のコンピュータと第２のコンピュータと第３のコンピュータが計算機ネットワークを介して接続されており、
前記第１のコンピュータは、
参照先文書を格納した電子文書格納手段と、
有効期限および有効期限になった時に行われる操作種別を含む有効期限情報を前記参照先文書に設定する有効期限設定手段とを含んで構成され、
前記第２のコンピュータは、
前記参照先文書へのリンク情報を含んだ参照元文書を格納した電子文書格納手段と、
前記参照元文書が参照する参照先文書をリンク情報に基づいて取得する参照文書取得手段と、
該参照文書取得手段によって取得された参照先文書に設定されている有効期限情報を検出する有効期限解析手段と、
該有効期限解析手段の解析結果に基づいて参照先文書の有効期限情報を参照先文書へのリンク情報に関連付けで有効期限格納手段に格納する有効期限登録制御手段と、
前記有効期限格納手段に格納されているリンク情報と有効期限情報とに基づいて、前記第３のコンピュータに確保させる参照先文書を指示すると共に、参照元文書中の前記参照先文書を指し示すリンク情報を前記第３のコンピュータに確保後の前記参照先文書を指し示すように変更する期限文書処置手段と、
該期限文書処置手段からの指示を受けて前記第３のコンピュータに参照先文書の確保を要求する確保要求発生手段と、
前記第３のコンピュータから送信される管理費用の請求情報を受信する請求受理手段とを含んで構成され、
前記第３のコンピュータは、
前記第２のコンピュータから確保要求を受理する確保要求受理手段と、
該確保要求受理手段が受理した要求に従って前記第１のコンピュータから参照先文書を取得してバックアップ文書格納手段に格納する参照文書取得手段と、
該参照文書取得手段が前記バックアップ文書格納手段に格納した参照先文書に対する管理費用の請求情報を前記第２のコンピュータに対して送信する費用決済手段とを含んで構成されることを特徴とする分散情報確保ビジネスシステム。
【請求項４】
計算機ネットワークを介して第２のコンピュータと接続された第１のコンピュータを、
有効期限および有効期限になった時に参照先文書に対して行われる操作が削除，移動，更新の内の何れであるかを示す操作種別を含む有効期限情報を電子文書格納手段に格納されている参照先文書に設定する有効期限設定手段として機能させ、
前記第２のコンピュータを、
電子文書格納手段に格納されたリンク情報を含む参照元文書が参照する参照先文書をリンク情報に基づいて取得する参照文書取得手段、
該参照文書取得手段で取得された参照先文書に設定された有効期限情報を検出する有効期限解析手段、
該有効期限解析手段の解析結果に基づいて参照先文書の有効期限情報を参照先文書へのリンク情報に関連付けて有効期限格納手段に格納する有効期限登録制御手段、
参照先文書へのリンク情報と関連付けられて前記有効期限格納手段に格納されている有効期限情報に含まれている操作種別が削除或いは更新である場合は、有効期限よりも前の時点で前記リンク情報によって示される参照先文書を前記バックアップ文書格納手段へバックアップすると共に参照元文書中のリンク情報をバックアップ文書格納手段にバックアップした前記参照先文書を指し示すものに変更し、移動である場合は、有効期限になった時点に於いて参照元文書中のリンク情報を前記参照先文書の移動先を示すものに変更する期限文書処置手段として機能させるためのプログラムを記録した機械読み取り可能な記録媒体。
【請求項５】
計算機ネットワークを介して第２，第３のコンピュータと接続された第１のコンピュータを、
有効期限および有効期限になった時に参照先文書に対して行われる操作が削除，移動，更新の内の何れであるかを示す操作種別を含む有効期限情報を電子文書格納手段に格納されている参照先文書に設定する有効期限設定手段として機能させ、
前記第２のコンピュータを、
電子文書格納手段に格納されたリンク情報を含む参照元文書が参照する参照先文書をリンク情報に基づいて取得する参照文書取得手段、
該参照文書取得手段によって取得された参照先文書に設定されている有効期限情報を検出する有効期限解析手段、
該有効期限解析手段の解析結果に基づいて参照先文書の有効期限情報を参照先文書へのリンク情報に関連付けて有効期限格納手段に格納する有効期限登録制御手段、
参照先文書へのリンク情報と関連付けられて前記有効期限格納手段に格納されている有効期限情報に含まれている操作種別が削除或いは更新である場合は、有効期限よりも前の時点で前記リンク情報によって示される参照先文書を前記第３のコンピュータで確保することを指示すると共に参照元文書中のリンク情報を前記第３のコンピュータに確保された参照先文書を指し示すものに変更し、移動である場合は、有効期限になった時点に於いて参照元文書中のリンク情報を前記参照先文書の移動先を指し示すものに変更する期限文書処置手段、
該期限文書処置手段からの指示を受けて前記第３のコンピュータに参照先文書の確保を要求する確保要求発生手段として機能させ、
前記第３のコンピュータを、
前記第２のコンピュータから確保要求を受理する確保要求受理手段、
該確保要求受理手段が受理した要求に従って前記第１のコンピュータから参照先文書を取得してバックアップ文書格納手段に格納する参照文書取得手段として機能させるためのプログラムを記録した機械読み取り可能な記録媒体。
【請求項６】
計算機ネットワークを介して第２，第３のコンピュータと接続された第１のコンピュータを、
有効期限および有効期限になった時に行われる操作種別を含む有効期限情報を電子文書格納手段に格納されている参照先文書に設定する有効期限設定手段として機能させ、
前記第２のコンピュータを、
電子文書格納手段に格納されたリンク情報を含む参照元文書が参照する参照先文書をリンク情報に基づいて取得する参照文書取得手段、
該参照文書取得手段によって取得された参照先文書に設定されている有効期限情報を検出する有効期限解析手段、
該有効期限解析手段の解析結果に基づいて参照先文書の有効期限情報を参照先文書へのリンク情報に関連付けて有効期限格納手段に格納する有効期限登録制御手段、
前記有効期限格納手段に格納されているリンク情報と有効期限情報とに基づいて、前記第３のコンピュータに確保させる参照先文書を指示すると共に、参照元文書中の前記参照先文書を指し示すリンク情報を前記第３のコンピュータに確保後の前記参照先文書を指し示すように変更する期限文書処置手段、
該期限文書処置手段からの指示を受けて前記第３のコンピュータに参照先文書の確保を要求する確保要求発生手段、
前記第３のコンピュータから送信される管理費用の請求情報を受信する請求受理手段として機能させ、
前記第３のコンピュータを、
前記第２のコンピュータから確保要求を受理する確保要求受理手段、
該確保要求受理手段が受理した要求に従って前記第１のコンピュータから参照先文書を取得してバックアップ文書格納手段に格納する参照文書取得手段、
該参照文書取得手段が前記バックアップ文書格納手段に格納した参照先文書に対する管理費用の請求情報を前記第２のコンピュータに対して送信する費用決済手段として機能させるためのプログラムを記録した機械読み取り可能な記録媒体。
【発明の詳細な説明】
【０００１】
【発明の属する技術分野】
本発明は、計算機ネットワーク上を流通する情報の管理技術に関し、特にインターネット上に公開される流動的な情報を長期的、恒常的に参照可能にするデータ管理技術に関する。
【０００２】
【従来の技術】
更新後に更新を検出することは例えば特開平１１−０１５８５１  号公報の「ＷＷＷ  ページリンク制御システムおよびその制御処理プログラムを記録した記録媒体」に開示されており、この技術を用いれば、リンク先のページが更新されたときに、リンク元のページにその旨を示す更新識別情報を表示可能である。
【０００３】
また、特開平１０−３３３９６６  号公報の「ハイパーリンク自動更新方法」および特開平０９−２９３０１０  号公報の「情報同期化方法」には、第１のコンピュータ内に格納された第１のページを参照するリンクを持つ第２のコンピュータに保持された第２のページの情報を第１のコンピュータ上のデータベースに保持することで、第１のページが更新あるいは移動された際に、そのページを参照するリンクを持つ第２のコンピュータに通知して第２のページに含まれている第１のページを参照するリンクを更新可能にする方法を開示している。
【０００４】
【発明が解決しようとする課題】
ＷＷＷ  のようにハイパーテキスト構造に基づいて計算機ネットワーク上に分散管理される情報では、各情報間にリンクを定義して異なるコンピュータに格納された情報への参照を定義することが可能であるが、参照先の情報の管理者は参照元の情報の管理者に断り無く、参照される情報の内容変更、移動、撤去などの更新が可能なため、参照元の管理者の意図しない参照となったり、参照自体が不可能になったりするという問題が生じる。
【０００５】
特開平１０−３３３９６６  号公報の「ハイパーリンク自動更新方法」および特開平０９−２９３０１０  号公報の「情報同期化方法」では、参照元の情報を参照先のコンピュータに登録する必要があり、登録を行わなければ参照先の情報の更新は参照元に通知されない。また、特開平１１−０１５８５１  号公報の「ＷＷＷ  ページリンク制御システムおよびその制御処理プログラムを記録した記録媒体」によれば、参照先のコンピュータに登録することなく参照元で参照先の情報が更新されたことを検出するが、そのためには、実際の更新の有無に関わらず更新状況を検査するために参照先のコンピュータにアクセスして情報を取得する必要がある。
【０００６】
いずれの方法においても、参照元に更新が通知されるのは参照先の更新がなされた後であり、その更新内容によっては参照先の情報が参照元の意図する参照と異なる内容になってしまって、参照する価値を失うという問題が生じ得る。
【０００７】
そこで、本発明の目的は、参照先の情報の更新が発生するより前に、参照元が更新時期と更新内容を知って、適切な対応を可能にする分散情報確保装置を提供することにある。
【０００８】
【課題を解決するための手段】
本発明の分散情報確保装置は、上記目的を達成するため、
第１のコンピュータと第２のコンピュータが計算機ネットワークを介して接続されており、
前記第１のコンピュータは、
参照先文書を格納した電子文書格納手段と、
有効期限および有効期限になった時に前記参照先文書に対して行われる操作が削除，移動，更新の内の何れであるのかを示す操作種別を含む有効期限情報を前記参照先文書に設定する有効期限設定手段とを含んで構成され、
前記第２のコンピュータは、
前記参照先文書へのリンク情報を含んだ参照元文書を格納した電子文書格納手段と、
前記参照元文書が参照する参照先文書をリンク情報に基づいて取得する参照文書取得手段と、
該参照文書取得手段で取得された参照先文書に設定された有効期限情報を検出する有効期限解析手段と、
該有効期限解析手段の解析結果に基づいて参照先文書の有効期限情報を参照先文書へのリンク情報に関連付けて有効期限格納手段に格納する有効期限登録制御手段と、
参照先文書へのリンク情報と関連付けられて前記有効期限格納手段に格納されている有効期限情報に含まれている操作種別が削除或いは更新である場合は、有効期限よりも前の時点で前記リンク情報によって示される参照先文書をバックアップ文書格納手段へバックアップすると共に参照元文書中のリンク情報を前記バックアップ文書格納手段にバックアップした前記参照先文書を指し示すものに変更し、移動である場合は、有効期限になった時点に於いて参照元文書中のリンク情報を前記参照先文書の移動先を示すものに変更する期限文書処置手段とを含んで構成される。
【０００９】
この構成に於いては、有効期限解析手段が参照先文書の有効期限情報を検出し、有効期限登録制御手段が、有効期限解析手段の解析結果に基づいて参照先文書の有効期限情報を参照先文書へのリンク情報に関連付けて有効期限格納手段に格納する。期限文書処置手段は、有効期限格納手段に格納されているリンク情報と有効期限情報とに基づいて、参照元文書中のリンク情報の更新と前記参照先文書のバックアップ文書格納手段へのバックアップを実行する。例えば、期限文書処置手段は、リンク情報と関連付けられて有効期限格納手段に格納されている有効期限情報に含まれている操作種別が削除或いは更新である場合は、有効期限よりも前の時点でリンク情報によって示される参照先文書をバックアップ文書格納手段へバックアップすると共に参照元文書中のリンク情報をバックアップ文書格納手段にバックアップした参照先文書を指し示すものに変更し、移動である場合は、有効期限になった時点に於いて参照元文書中のリンク情報を前記参照先文書の移動先を示すものに変更する。
【００１０】
また、本発明の分散情報確保装置は、第２のコンピュータの負荷を低減させるため、
第１のコンピュータと第２のコンピュータと第３のコンピュータが計算機ネットワークを介して接続されており、
前記第１のコンピュータは、
参照先文書を格納した電子文書格納手段と、
有効期限および有効期限になった時に前記参照先文書に対して行われる操作が削除，移動，更新の内の何れであるかを示す操作種別を含む有効期限情報を前記参照先文書に設定する有効期限設定手段とを含んで構成され、
前記第２のコンピュータは、
前記参照先文書へのリンク情報を含んだ参照元文書を格納した電子文書格納手段と、
前記参照元文書が参照する参照先文書をリンク情報に基づいて取得する参照文書取得手段と、
該参照文書取得手段によって取得された参照先文書に設定されている有効期限情報を検出する有効期限解析手段と、
該有効期限解析手段の解析結果に基づいて参照先文書の有効期限情報を参照先文書へのリンク情報に関連付けで有効期限格納手段に格納する有効期限登録制御手段と、
参照先文書へのリンク情報と関連付けられて前記有効期限格納手段に格納されている有効期限情報に含まれている操作種別が削除或いは更新である場合は、有効期限よりも前の時点で前記リンク情報によって示される参照先文書を前記第３のコンピュータで確保することを指示すると共に参照元文書中のリンク情報を前記第３のコンピュータに確保された参照先文書を指し示すものに変更し、移動である場合は、有効期限になった時点に於いて参照元文書中のリンク情報を前記参照先文書の移動先を指し示すものに変更する期限文書処置手段と、
該期限文書処置手段からの指示を受けて前記第３のコンピュータに参照先文書の確保を要求する確保要求発生手段とを含んで構成され、
前記第３のコンピュータは、
前記第２のコンピュータから確保要求を受理する確保要求受理手段と、
該確保要求受理手段が受理した要求に従って前記第１のコンピュータから参照先文書を取得してバックアップ文書格納手段に格納する参照文書取得手段とを含んで構成される。
【００１１】
この構成に於いては、第３のコンピュータが第２のコンピュータに代わって、参照先文書の取得，バックアップを行うので、第２のコンピュータの負荷を低減できる。
【００１２】
また、本発明の分散情報確保ビジネスシステムは、上記目的を達成すると共に他のコンピュータからの要求によってバックアップした参照先文書の管理費用を要求元のコンピュータに請求できるようにするため、
第１のコンピュータと第２のコンピュータと第３のコンピュータが計算機ネットワークを介して接続されており、
前記第１のコンピュータは、
参照先文書を格納した電子文書格納手段と、
有効期限および有効期限になった時に行われる操作種別を含む有効期限情報を前記参照先文書に設定する有効期限設定手段とを含んで構成され、
前記第２のコンピュータは、
前記参照先文書へのリンク情報を含んだ参照元文書を格納した電子文書格納手段と、
前記参照元文書が参照する参照先文書をリンク情報に基づいて取得する参照文書取得手段と、
該参照文書取得手段によって取得された参照先文書に設定されている有効期限情報を検出する有効期限解析手段と、
該有効期限解析手段の解析結果に基づいて参照先文書の有効期限情報を参照先文書へのリンク情報に関連付けで有効期限格納手段に格納する有効期限登録制御手段と、
前記有効期限格納手段に格納されているリンク情報と有効期限情報とに基づいて、前記第３のコンピュータに確保させる参照先文書を指示すると共に、参照元文書中の前記参照先文書を指し示すリンク情報を前記第３のコンピュータに確保後の前記参照先文書を指し示すように変更する期限文書処置手段と、
該期限文書処置手段からの指示を受けて前記第３のコンピュータに参照先文書の確保を要求する確保要求発生手段と、
前記第３のコンピュータから送信される管理費用の請求情報を受信する請求受理手段とを含んで構成され、
前記第３のコンピュータは、
前記第２のコンピュータから確保要求を受理する確保要求受理手段と、
該確保要求受理手段が受理した要求に従って前記第１のコンピュータから参照先文書を取得してバックアップ文書格納手段に格納する参照文書取得手段と、
該参照文書取得手段が前記バックアップ文書格納手段に格納した参照先文書に対する管理費用の請求情報を前記第２のコンピュータに対して送信する費用決済手段とを含んで構成される。
【００１３】
この構成に於いては、第３のコンピュータが第２のコンピュータからの確保要求によって取得，バックアップした参照先文書の管理費用を、第２のコンピュータに請求する。
【００１４】
【発明の実施の形態】
次に本発明の実施の形態について図面を参照して詳細に説明する。
【００１５】
図１は本発明に係る分散情報確保装置の第１の実施の形態の一構成例を示すブロック図である。かかる発明の実施の形態における分散情報確保装置は、第１のコンピュータ２００  と第２のコンピュータ３００  を含み、それらは計算機ネットワーク１００  を介して接続されている。
【００１６】
第１のコンピュータ２００  は、参照先文書２１１  を格納した電子文書格納手段２１０  と、参照先文書２１１  に有効期限情報２１２  を設定する有効期限設定手段２２０  とを含んで構成される。有効期限情報２１２  には、参照先文書２１１  の有効期限と、有効期限になった時に参照先文書２１１  に対して行われる操作の種別が削除，移動，更新の内の何れであるのかを示す操作種別とが含まれる。
【００１７】
第１のコンピュータ２００  が備えている記録媒体Ｋ２００  は、ディスク，半導体メモリ，その他の記録媒体であり、コンピュータ２００  を有効期限設定手段２２０  として機能させるためのプログラムが記録されている。このプログラムは、コンピュータ２００  によって読み取られ、コンピュータ２００  の動作を制御することで、コンピュータ２００  上に有効期限設定手段２２０  を実現する。
【００１８】
第２のコンピュータ３００  は、参照先文書  ２１１へのリンク情報３１２  を含んだ参照元文書３１１  を格納した電子文書格納手段３１０  と、参照元文書３１１  が参照する参照先文書２１１  をリンク情報３１２  に基づいて取得する参照文書取得手段３２０  と、取得された参照先文書２１１  に設定された有効期限情報２１２  を検出する有効期限解析手段３３０  と、有効期限解析手段３３０  の解析結果に基づいて有効期限情報２１２  を参照先文書２１１  へのリンク情報３１２  に関連付ける有効期限登録制御手段３４０  と、該関連付けられた有効期限情報２１２  とリンク情報３１２  とを対応付けて格納しておく有効期限格納手段３６０  と、有効期限格納手段３６０  に格納された有効期限情報，リンク情報に基づいて、参照先文書２１１  をバックアップ文書格納手段３７０  へバックアップし、リンク情報３１２  をバックアップされた文書を示すように変更する等の処理を行う期限文書処置手段３５０  とを含んで構成される。
【００１９】
第２のコンピュータ３００  が備えている記録媒体Ｋ３００  は、ディスク，半導体メモリ，その他の記録媒体であり、コンピュータ３００  を参照文書取得手段３２０  ，有効期限解析手段３３０  ，有効期限登録制御手段３４０  ，期限文書処置手段３５０  として機能させるためのプログラムが記録されている。このプログラムは、コンピュータ３００  によって読み取られ、コンピュータ３００  の動作を制御することで、コンピュータ３００  上に参照文書取得手段３２０  ，有効期限解析手段３３０  ，有効期限登録制御手段３４０  ，期限文書処置手段３５０  を実現する。
【００２０】
例えば、計算機ネットワーク１００  はインターネットで、第１のコンピュータ２００  はＷＷＷ  の情報を発信するＷｅｂ  サーバであり、「ｗｗｗ．ｍａｍｅｃｈｉｓｈｉｋｉ．ｃｏｍ」の名前で参照されるものとし、参照先文書２１１  はＨＴＭＬ形式で書かれたＷｅｂ  ページであるとし、「／ｓｏｕｊｉ．ｈｔｍｌ  」の名前で参照されるものとする。例えば、この参照先文書２１１  が西暦１９９９年の１２月３１日の２３時５９分に有効期限が切れ、このページが削除ｄｅｌｅｔｅされる予定であるとすると、有効期限設定手段２２０  は作成者の指示に基づいて「＜ｍｅｔａ  ｎａｍｅ＝  “ｅｘｐｉｒａｔｉｏｎ”  ｄａｔｅ＝“１９９９／１２／３１  ２３：５９：００  ”  ａｃｔｉｏｎ＝“  ｄｅｌｅｔｅ  ”＞  」という有効期限情報２１２  を参照先文書２１１  に挿入する。図２は有効期限情報２１２  が挿入された参照先文書２１１  の一例である。
【００２１】
また、第２のコンピュータ３００  の電子文書格納手段３１０  に保持される参照元文書３１１  もＨＴＭＬ形式で書かれたＷｅｂ  ページであるとし、図３に例示するように「＜ａ  ｈｒｅｆ＝“ｈｔｔｐ：／／ｗｗｗ．ｍａｍｅｃｈｉｓｈｉｋｉ．ｃｏｍ／ｓｏｕｊｉ．ｈｔｍｌ”＞  」という、第１のコンピュータ２００  上に存在する参照先文書２１１  を参照するリンク情報３１２  を含んで記述されているとする。
【００２２】
次に、本実施の形態の動作について説明する。今、参照先文書２１１  ，参照元文書３１１  がそれぞれ図２，図３に示すものであるときに、コンピュータ３００  の利用者や管理者が、図示を省略した表示装置に表示されている参照元文書３１１  中のリンク情報３１２  をクリックする等して、リンク情報３１２  を参照文書取得手段３２０  に入力したとする。
【００２３】
参照文書取得手段３２０  は、リンク情報３１２  が入力されると、それに「ｂａｃｋｕｐ」なる記述が含まれているか否かを調べる（図４，Ａ１）。この例の場合、リンク情報３１２  は、図３に示すように「ｂａｃｋｕｐ」を含まないので（Ａ１がＮＯ）、参照文書取得手段３２０  は、リンク情報３１２  に基づいてコンピュータ２００  から参照先文書２１１  を取得し、それを表示装置に表示する等してユーザに提示する（Ａ２，Ａ３）。その後、参照文書取得手段３２０  は、参照先文書２１１  及びリンク情報３１２  を有効期限解析手段３３０  に渡すと共に、リンク情報３１２  が設定されている参照元文書３１１  の文書ＩＤを有効期限解析手段３３０  に渡す（Ａ４）。
【００２４】
有効期限解析手段３３０  は、受け取った参照先文書２１１  を解析して有効期限情報２１２  を検出し、「西暦１９９９年の１２月３１日の２３時５９分」という有効期限の日時と「削除（ｄｅｌｅｔｅ）」という有効期限がきたときに参照先文書２１１  に施される操作種別を取り出し、それらとリンク情報３１２  と参照元文書３１１  の文書ＩＤとを有効期限登録制御手段３４０  へ渡す。有効期限登録制御手段３４０  は、有効期限解析手段３３０  から渡された有効期限の日時「西暦１９９９年の１２月３１日の２３時５９分」と、操作種別「削除」と、リンク情報３１２  と、参照元文書３１１  の文書ＩＤとを組にして有効期限格納手段３６０  に格納する。
【００２５】
期限文書処置手段３５０  は、常時或いは定期的に有効期限格納手段３６０  に格納されている有効期限，操作種別，リンク情報，文書ＩＤの組を順次処理対象にして図５の流れ図に示す処理を行う。
【００２６】
今、例えば、上記した有効期限「西暦１９９９年の１２月３１日の２３時５９分」，操作種別「削除」，リンク情報３１２  ，参照元文書３１１  の文書ＩＤの組を処理対象にしたとすると、期限文書処置手段３５０  は、次のような処理を行うことになる。
【００２７】
期限文書処置手段３５０  は、先ず、操作種別を調べる（図５，Ｂ１，Ｂ３）。この例の場合、操作種別が「削除」であり、Ｂ１の判断結果がＹＥＳとなるので、期限文書処置手段３５０  は、Ｂ２のバックアップ処理を行う。
【００２８】
Ｂ２のバックアップ処理では、次のような処理を行う。先ず、リンク情報３１２  によって指し示される参照先文書２１１  を、参照文書取得手段３２０  を用いてコンピュータ２００  から取得し、それをバックアップ文書格納手段３７０  へバックアップする。その後、期限文書処置手段３５０  は、文書ＩＤによって示される参照元文書３１１  に含まれるリンク情報３１２  を、バックアップした参照先文書を指示するように更新する。例えば、参照先文書２１１  が「／ｂａｃｋｕｐ／ｍａｍｅｃｈｉｓｈｉｋｉ／ｓｏｕｊｉ．ｈｔｍｌ  」としてバックアップ文書格納手段３７０  に格納されたとすると、期限文書処置手段３５０  はリンク情報３１２  を「＜ａ  ｈｒｅｆ＝“／ｂａｃｋｕｐ／ｍａｍｅｃｈｉｓｈｉｋｉ／ｓｏｕｊｉ．ｈｔｍｌ  ”＞  」へと書き換える。図６はリンク情報３１２  が書き換えられた後の参照元文書３１１  の例である。その後、期限文書処置手段３５０  は、有効期限格納手段３６０  から今回処理対象にした組を削除する。尚、この例では、Ｂ２のバックアップ処理を、Ｂ１の判断結果がＹＥＳとなった後、直ちに行うようにしたが、Ｂ２のバックアップ処理を行うタイミングは、有効期限よりも前であれば何時でも良い。例えば、Ｂ１の判断結果がＹＥＳとなった後、有効期限と現在日時との差を求め、その差が予め定められている値以下であれば、Ｂ２のバックアップ処理を行い、そうでなければ処理終了とするようにしても良い。
【００２９】
尚、リンク情報３１２  が図６に示すように書き換えられた後は、参照文書取得手段３２０  は、参照先文書をコンピュータ２００  からではなく、バックアップ文書格納手段３７０  から取得する。つまり、参照先文書取得手段３２０  は、図６のリンク情報３１２  によって指し示される参照先文書の取得が要求されると、リンク情報３１２  は「ｂａｃｋｕｐ」なる記述を含むので、バックアップ文書格納手段３７０  から該当する参照先文書を取得し、それを利用者に提示することになる（図４，Ａ１がＹＥＳ，Ａ５，Ａ６）。
【００３０】
次に、参照先文書２１１  の有効期限情報２１２  の記述が、「＜ｍｅｔａ  ｎａｍｅ＝  “ｅｘｐｉｒａｔｉｏｎ”  ｄａｔｅ＝“１９９９／１２／３１  ２３：５９：００  ”  ａｃｔｉｏｎ＝“ｍｏｖｅ”  ｄｅｓｔｉｎａｔｉｏｎ＝”／ｏｌｄ／ｓｏｕｊｉ．ｈｔｍｌ”＞  」というように、期限がきたら「／ｏｌｄ／ｓｏｕｊｉ．ｈｔｍｌ  」という場所へ「移動」されることを示している場合に、図３に示す参照元文書３１１  中のリンク情報３１２  が指し示す参照先文書の取得が要求された場合の動作を説明する。
【００３１】
参照文書取得手段３２０  は、利用者のクリック操作等によって図３に示すリンク情報３１２  が入力されると、リンク情報３１２  が「ｂａｃｋｕｐ」を含まないので、コンピュータ２００  から参照先文書２１１  を取得し、それを表示装置に表示する（図４，Ａ１〜Ａ３）。その後、参照先文書２１１  と、図３に示すリンク情報３１２  と、リンク情報３１２  が設定されている参照元文書３１１  の文書ＩＤとを有効期限解析手段３３０  に渡す（Ａ４）。
【００３２】
これにより、有効期限解析手段３３０  ，有効期限登録制御手段３４０  が前述した処理と同様の処理を行い、有効期限格納手段３６０  に、有効期限「西暦１９９９年の１２月３１日の２３時５９分」，操作種別「移動（移動先も含む）」，リンク情報３１２  ，参照元文書３１１  の文書ＩＤの組を有効期限格納手段３６０  に格納する。
【００３３】
期限文書処置手段３５０  は、有効期限格納手段３６０  に格納されている上記情報の組を処理対象にすると、操作種別が「移動」であることから（図５，Ｂ３がＹＥＳ）、上記情報の組を図示を省略した移動リストへ登録すると共に、有効期限格納手段３６０  から上記した情報の組を削除する（Ｂ４）。期限文書処置手段３５０  は、上記移動リストの内容を常時監視しており、有効期限「西暦１９９９年の１２月３１日の２３時５９分」になると、参照先文書をバックアップすることなく、文書ＩＤによって示される参照元文書３１１  中のリンク情報３１２  を、移動先を示す「＜ａ  ｈｒｅｆ＝“ｈｔｔｐ：／／ｗｗｗ．ｍａｍｅｃｈｉｓｈｉｋｉ．ｃｏｍ／ｏｌｄ／ｓｏｕｊｉ．ｈｔｍｌ”＞  」へと書き換える。
【００３４】
次に、参照先文書２１１  の有効期限情報２１２  の記述が、例えば「＜ｍｅｔａ  ｎａｍｅ＝  “ｅｘｐｉｒａｔｉｏｎ”ｄａｔｅ＝  “１９９９／１２／３１  ２３：５９：００  ”ａｃｔｉｏｎ＝  “ｕｐｄａｔｅ”＞  」というように、期限がきたら「／ｓｏｕｊｉ．ｈｔｍｌ  」の内容が「更新」されることを示している場合に、図３に示す参照元文書３１１  中のリンク情報３１２  がリンクする参照先文書の取得が要求された場合の動作を説明する。
【００３５】
利用者のクリック操作によって図３に示すリンク情報３１２  が入力されると、参照文書取得手段３２０  は、図４のＡ１〜Ａ４の処理を行い、参照先文書２１１  ，リンク情報３１２  ，参照元文書３１１  の文書ＩＤを有効期限解析手段３３０  に渡す。これにより、有効期限解析手段３３０  ，有効期限登録制御手段３４０  が前述した処理と同様の処理を行い、有効期限格納手段３６０  に、有効期限「西暦１９９９年の１２月３１日の２３時５９分」，操作種別「更新」，リンク情報３１２  ，参照元文書３１１  の文書ＩＤの組を有効期限格納手段３６０  に格納する。
【００３６】
期限文書処置手段３５０  は、有効期限格納手段３６０  に格納されている上記情報の組を処理対象にすると、操作種別が「更新」であることから（図５，Ｂ３がＮＯ）、参照元文書３１１  のリンク情報３１２  に処置を指定する記述が含まれているか否かを調べる（図５のＢ５，Ｂ７，Ｂ９）。本実施の形態では、処置を指定する記述には、更新前後の参照先文書へのリンクを列挙するように指定する「ｕｐｄａｔｅ＝  ”ｌｉｓｔ”」と、更新前の参照先文書のみを参照するように指定する「ｕｐｄａｔｅ＝  ”ｂａｃｋｕｐ”」と、更新後の参照先のみを参照するように指定する「ｕｐｄａｔｅ＝  ”ｕｐｄａｔｅ”」の３つが存在するものとする。
【００３７】
この例の場合、図３に示すように、リンク情報３１２  には、処置を指定する記述が含まれていないので（Ｂ９がＮＯ）、期限文書処置手段３５０  は、参照先文書２１１  をバックアップし、リンク情報３１２  を「＜ａ  ｈｒｅｆ＝“／ｂａｃｋｕｐ／ｍａｍｅｃｈｉｓｈｉｋｉ／ｓｏｕｊｉ．ｈｔｍｌ  ”＞  」へ書き換える等のＢ２で行ったバックアップ処理と同様の処理を行う（Ｂ１０）。以後、参照文書取得手段３２０  は、書き換えられたリンク情報３１２  に基づいて参照先文書を取得するときには、第１のコンピュータ２００  ではなく、バックアップ文書格納手段３７０  に格納された文書を取得するようになる。
【００３８】
次に、参照先文書２１１  の有効期限情報２１２  の記述が、例えば「＜ｍｅｔａ  ｎａｍｅ＝  “ｅｘｐｉｒａｔｉｏｎ”ｄａｔｅ＝  “１９９９／１２／３１  ２３：５９：００  ”ａｃｔｉｏｎ＝  “ｕｐｄａｔｅ”＞  」というように、期限がきたら「／ｓｏｕｊｉ．ｈｔｍｌ  」の内容が「更新」されることを示している場合に、図７に示す参照元文書３１１  中のリンク情報３１２  によって指し示される参照先文書の取得が要求された場合の動作を説明する。図７に示すリンク情報３１２  は、「ｕｐｄａｔｅ＝  ”ｌｉｓｔ”」という記述により、更新時の処置を指定するパラメータ「ｕｐｄａｔｅ」に、更新前後の参照先文書へのリンクを列挙するように指定するパラメータ値「ｌｉｓｔ」を指定している。
【００３９】
利用者のクリック操作等によって図７に示すリンク情報３１２  が入力されると、参照文書取得手段３２０  ，有効期限解析手段３３０  ，有効期限登録制御手段３４０  が前述した処理と同様の処理を行い、有効期限「西暦１９９９年の１２月３１日の２３時５９分」，操作種別「更新」，リンク情報３１２  ，参照元文書３１１  の文書ＩＤの組を有効期限格納手段３６０  に格納する。
【００４０】
期限文書処置手段３５０  は、上記情報の組を処理対象にすると、操作種別が「変更」で、且つリンク情報３１２  に処置の指定「ｕｐｄａｔｅ＝  ”ｌｉｓｔ”」が含まれていることから（図５，Ｂ３がＮＯ，Ｂ９がＹＥＳ）、上記情報の組を、図示を省略した更新リストへ登録すると共に、有効期限格納手段３６０  から削除する（Ｂ１１）。
【００４１】
期限文書処置手段３５０  は、更新リストを常時監視しており、有効期限切れ直前の組を検出した場合は、次のような処理を行う。今、例えば、有効期限になる直前の組として上記組を検出すると、その組に含まれている参照元文書３１１  の文書ＩＤとリンク情報３１２  とに基づいて、参照元文書３１１  中のリンク情報３１２  の直後に「ｂａｃｋｕｐ」という記述を含むリンク情報が存在するか否かを調べる。そして存在しない場合は、リンク情報３１２  によって示される参照先文書を第１のコンピュータ２００  から取得してバックアップ文書格納手段３７０  にバックアップすると共に、更新後の参照先文書とバックアップされた参照先文書の両方が参照可能なように、図８に示すように、参照元文書３１１  中のリンク情報３１２  の直後にリンク情報３１３  「＜ａ  ｈｒｅｆ＝“／ｂａｃｋｕｐ／ｍａｍｅｃｈｉｓｈｉｋｉ／ｓｏｕｊｉ．ｈｔｍｌ  ”＞  」を追加する。この時、図８に例示するように、それぞれの参照先文書を区別できるように「バックアップ」という文字列や更新日時などを加えて参照元文書を修正しても良い。これに対して、リンク情報３１２  の直後に「ｂａｃｋｕｐ」という記述を含むリンク情報が既に存在する場合は、そのリンク情報によって示される位置に、リンク情報３１２  によってリンクされる参照先文書を、既に格納されている文書に追加する形式で格納する。その後、更新リストから上記処理対象にした情報の組を削除する。更に、更新リスト中に上記情報の組と同一内容の情報の組が存在する場合は、同一の文書がバックアップされるのを防ぐため、それらも更新リストから削除する。
【００４２】
次に、参照先文書２１１  が更新される場合の処置として更新前の文書のみを参照するように指定する「ｕｐｄａｔｅ＝  ”ｂａｃｋｕｐ”」という記述を含むリンク情報３１２  「＜ａ  ｈｒｅｆ＝“ｈｔｔｐ：／／ｗｗｗ．ｍａｍｅｃｈｉｓｈｉｋｉ．ｃｏｍ／ｓｏｕｊｉ．ｈｔｍｌ”ｕｐｄａｔｅ＝  ”ｂａｃｋｕｐ”＞  」によって参照先文書２１１  の取得が要求された場合の動作を説明する。
【００４３】
利用者のクリック操作等によって上記リンク情報３１２  が入力されると、参照文書取得手段３２０  ，有効期限解析手段３３０  ，有効期限登録制御手段３４０  が前述した処理と同様の処理を行い、有効期限，操作種別「更新」，リンク情報３１２  ，参照元文書３１１  の文書ＩＤの組を有効期限格納手段３６０  に格納する。
【００４４】
期限文書処置手段３５０  は、有効期限格納手段３６０  に格納されている上記した情報の組を処理対象にすると、操作種別が「更新」で、更新時の処置の指定が「ｂａｃｋｕｐ」であることから（図５，Ｂ３がＮＯ，Ｂ５がＹＥＳ）、更新前の参照先文書２１１  をバックアップして、参照元文書３１１  中のリンク情報３１２  がバックアップ文書を参照するように、「＜ａ  ｈｒｅｆ＝“／ｂａｃｋｕｐ／ｍａｍｅｃｈｉｓｈｉｋｉ／ｓｏｕｊｉ．ｈｔｍｌ  ”＞  」へと書き換える等のバックアップ処理を行う（Ｂ６）。
【００４５】
次に、参照先文書２１１  が更新される場合の処置として更新後の文書のみを参照するように指定する「ｕｐｄａｔｅ＝  ”ｕｐｄａｔｅ”」という記述を含むリンク情報３１２  「＜ａ  ｈｒｅｆ＝“ｈｔｔｐ：／／ｗｗｗ．ｍａｍｅｃｈｉｓｈｉｋｉ．ｃｏｍ／ｓｏｕｊｉ．ｈｔｍｌ”ｕｐｄａｔｅ＝  ”ｕｐｄａｔｅ”＞  」によって参照先文書２１１  の取得が要求された場合の動作を説明する。
【００４６】
利用者のクリック操作等によって上記リンク情報３１２  が入力されると、参照文書取得手段３２０  ，有効期限解析手段３３０  ，有効期限登録制御手段３４０  が前述した処理と同様の処理を行い、有効期限，操作種別「更新」，リンク情報３１２  ，参照元文書３１１  の文書ＩＤの組を有効期限格納手段３６０  に格納する。
【００４７】
期限文書処置手段３５０  は、有効期限格納手段３６０  に格納されている上記した情報の組を処理対象にすると、操作種別が「更新」で、更新時の処置の指定が「ｕｐｄａｔｅ」であることから（図５，Ｂ３がＮＯ，Ｂ７がＹＥＳ）、バックアップ文書の作成もリンク情報３１２  の更新も行わずに、有効期限格納手段３６０  から上記した情報の組を削除する処理のみを行う（Ｂ８）。
【００４８】
図９は本発明に係る分散情報確保装置の第２の実施の形態の一構成例を示すブロック図である。
【００４９】
本実施の形態における分散情報確保装置は、第１のコンピュータ２００  と、第２のコンピュータ３００  ａと、第３のコンピュータ４００  と、それらを接続する計算機ネットワーク１００  とから構成されている。
【００５０】
本実施の形態の第１のコンピュータ２００  は、図１に示した第１の実施の形態に於ける第１のコンピュータ２００  と同一構成を有している。
【００５１】
本実施の形態の第２のコンピュータ３００  ａは、期限文書処置手段３５０  の代わりに期限文書処置手段３５１  を備えている点、確保要求発生手段３８０  が追加されている点、及びバックアップ文書格納手段３７０  を備えていない点が、図１に示した第１の実施の形態に於ける第２のコンピュータ３００  と相違している。
【００５２】
期限文書処置手段３５１  は、図５のＢ２，Ｂ６，Ｂ１０に於いて、処理対象にしている情報の組に含まれているリンク情報３１２  と、バックアップした参照先文書に付す名前とを確保要求発生手段３８０  に通知した後、参照元文書３１１  中のリンク情報３１２  をバックアップした参照先文書を指し示すものに書き換え、更に、上記処理対象にしている情報の組を有効期限格納手段３６０  から削除する処理を行う点が、図１に示した期限文書処置手段３５０  と相違している。更に、期限文書処置手段３５１  は、更新リスト中に有効期限切れになる直前の情報の組を検出した場合、その組に含まれているリンク情報と、バックアップした参照先文書に付す名前とを確保要求発生手段３８０  に通知した後、参照元文書３１１  中にバックアップした参照先文書を指し示すリンク情報を追加し、更に、上記処理対象にしている情報の組を更新リストから削除する処理を行う点が、図１に示した期限文書処置手段３５０  と相違している。
【００５３】
確保要求発生手段３８０  は、期限文書処置手段３５１  から通知されたリンク情報３１２  及びバックアップした参照先文書に付す名前を含んだ確保要求を、計算機ネットワーク１００  を介して第３のコンピュータ４００  へ通知する機能を有する。
【００５４】
第２のコンピュータ３００  ａが備えている記録媒体Ｋ３００  ａは、ディスク，半導体メモリ，その他の記録媒体であり、コンピュータ３００  ａを、参照文書取得手段３２０  ，有効期限解析手段３３０  ，有効期限登録制御手段３４０  ，期限文書処置手段３５１  ，確保要求発生手段３８０  として機能させるためのプログラムが記録されている。このプログラムは、コンピュータ３００  ａによって読み取られ、コンピュータ３００  ａの動作を制御することで、コンピュータ３００  ａ上に参照文書取得手段３２０  ，有効期限解析手段３３０  ，有効期限登録制御手段３４０  ，期限文書処置手段３５１  ，確保要求発生手段３８０  を実現する。
【００５５】
第３のコンピュータ４００  は、第２のコンピュータ３００  ａからの確保要求を受理する確保要求受理手段４２０  と、受理した要求に従って第１のコンピュータ２００  から参照先文書２１１  を取得してバックアップ文書格納手段４１０  に格納する参照文書取得手段４３０  と、参照文書取得手段４３０  により取得された参照先文書を保持するバックアップ文書格納手段４１０  とを含んで構成される。
【００５６】
第３のコンピュータ４００  が備えている記録媒体Ｋ４００  は、ディスク，半導体メモリ，その他の記録媒体であり、コンピュータ４００  を確保要求受理手段４２０  ，参照文書取得手段４３０  として機能させるためのプログラムが記録されている。このプログラムは、コンピュータ４００  によって読み取られ、コンピュータ４００  の動作を制御することで、コンピュータ４００  上に、確保要求受理手段４２０  ，参照文書取得手段４３０  を実現する。
【００５７】
例えば、計算機ネットワーク１００  はインターネットで、第１のコンピュータ２００  はＷＷＷ  の情報を発信するＷｅｂ  サーバであり、「ｗｗｗ．ｍａｍｅｃｈｉｓｈｉｋｉ．ｃｏｍ」の名前で参照されるものとし、参照先文書２１１  はＨＴＭＬ形式で書かれたＷｅｂ  ページであるとし、「／ｓｏｕｊｉ．ｈｔｍｌ  」の名前で参照されるものとする。例えば、この参照元文書２１１  が西暦１９９９年の１２月３１日の２３時５９分に有効期限が切れ、このページが削除ｄｅｌｅｔｅされる予定であるとすると、有効期限設定手段２２０  は作成者の指示に基づいて「＜ｍｅｔａ  ｎａｍｅ＝  “ｅｘｐｉｒａｔｉｏｎ”  ｄａｔｅ＝“１９９９／１２／３１  ２３：５９：００  ”  ａｃｔｉｏｎ＝“  ｄｅｌｅｔｅ  ”＞  」という有効期限情報２１２  を参照先文書２１１  に挿入する。図２は有効期限情報２１２  が挿入された参照先文書２１１  の一例である。
【００５８】
また、第２のコンピュータ３００  ａの電子文書格納手段３１０  に保持される参照元文書３１１  もＨＴＭＬ形式で書かれたＷｅｂ  ページであるとし、図３に例示するように「＜ａ  ｈｒｅｆ＝“ｈｔｔｐ：／／ｗｗｗ．ｍａｍｅｃｈｉｓｈｉｋｉ．ｃｏｍ／ｓｏｕｊｉ．ｈｔｍｌ”＞  」という、第１  のコンピュータ上に存在する参照先文書２１１  を参照するリンク情報３１２  を含んで記述されているとする。
【００５９】
参照文書取得手段３２０  は、利用者のクリック操作等により、図３に示す参照元文書３１１  中のリンク情報３１２  が入力されると、図４の流れ図に示すように、第１のコンピュータ２００  から参照先文書２１１  を取得し、それをユーザに提示する（Ａ１〜Ａ３）。更に、参照文書取得手段３２０  は、参照先文書２１１  と、リンク情報３１２  と、リンク情報３１２  を含んでいる参照元文書３１１  の文書ＩＤを有効期限解析手段３３０  に通知する（Ａ４）。
【００６０】
これにより、有効期限解析手段３３０  は受け取った参照先文書２１１  を解析して有効期限情報２１２  を検出し、「西暦１９９９年の１２月３１日の２３時５９分」という有効期限の日時と「削除」という有効期限に参照先文書２１１  に施される操作種別とを取り出し、有効期限登録制御手段３４０  へ渡す。その際、リンク情報３１２  ，参照元文書３１１  の文書ＩＤも有効期限登録制御手段３４０  に渡す。有効期限登録制御手段３４０  は、リンク情報３１２  と、参照元文書３１１  の文書ＩＤと、有効期限「西暦１９９９年の１２月３１日の２３時５９分」と、操作種別「削除」とを組にして有効期限格納手段３６０  に格納する。
【００６１】
期限文書処置手段３５１  は、有効期限格納手段３６０  に格納されている上記情報の組を処理対象にすると、操作種別が「削除」であるので（図５，Ｂ１がＹＥＳ）、Ｂ２のバックアップ処理を行う。
【００６２】
Ｂ２のバックアップ処理では、次のような処理を行う。先ず、上記情報の組に含まれているリンク情報３１２  と、バックアップした参照先文書２１１  に付す名前とを確保要求発生手段３８０  に渡す。次に、参照元文書３１１  中のリンク情報３１２  をバックアップした参照先文書を指し示すものに変更する。そして、最後に、有効期限格納手段３６０  から上記した情報の組を削除する。今、例えば、第３のコンピュータ４００  の名前が「ｗｗｗ．ｂａｃｋｕｐ．ｃｏｍ」であり、バックアップした参照先文書２１１  に付す名前が「／ｍａｍｅｃｈｉｓｈｉｋｉ／ｓｏｕｊｉ．ｈｔｍｌ」であるとすると、期限文書処置手段３５１  はリンク情報３１２  を「＜ａ  ｈｒｅｆ＝“ｈｔｔｐ：／／ｗｗｗ．ｂａｃｋｕｐ．ｃｏｍ／ｍａｍｅｃｈｉｓｈｉｋｉ／ｓｏｕｊｉ．ｈｔｍｌ  ”＞  」へと書き換える。図１０は、書き換え後の参照元文書３１１  の例である。以後、参照文書取得手段３２０  は、書き換えられたリンク情報３１２  に基づいて参照先文書を取得するときには、第１のコンピュータ２００  ではなく、第３のコンピュータ４００  のバックアップ文書格納手段４１０  に格納された参照先文書を取得するようになる。
【００６３】
確保要求発生手段３８０  は、期限文書処置手段３５１  からリンク情報３１２  と、バックアップする参照先文書２１１  に付す名前が渡されると、それらを含む確保要求を第３のコンピュータ４００  に通知する。
【００６４】
第３のコンピュータ４００  は、確保要求受理手段４２０により第２のコンピュータ３００  ａから確保要求を受け取り、参照文書取得手段４３０  により確保要求中のリンク情報３１２  によって指し示される参照先文書２１１  を第１のコンピュータ２００  から取得し、バックアップ文書格納手段４１０  へ確保参照先文書４１１  としてバックアップする。その時、確保参照先文書４１１  の名前は、確保要求に含まれている名前とする。更に、参照文書取得手段４３０  は、確保要求発生手段３８０  と確保要求受理手段４２０  の間で締結した条件に基づいて確保参照先文書４１１  に含まれる有効期限情報を保持期限情報４１２  に書き換える。図１１は保持期限を「西暦２００４年の１２月３１日の２３時５９分」とした場合の書き換え後の確保参照先文書４１１  の例である。
【００６５】
図１２は本発明に係る分散情報確保ビジネスシステムの実施の形態の一構成例を示すブロック図であり、第１のコンピュータ２００  と、第２のコンピュータ３００  ｂと、第３のコンピュータ４００  ａと、それらを接続する計算機ネットワーク１００  とから構成されている。
【００６６】
本実施の形態の第１のコンピュータ２００  は、図９に示した第１のコンピュータ２００  と同一の構成を有する。
【００６７】
本実施の形態の第２のコンピュータ３００  ｂは、請求受理手段３９０  を備えている点が図９に示した第２のコンピュータ３００  ａと相違している。請求受理手段３９０  は、第３のコンピュータ４００  ａから送られてくる、請求金額等を含む費用請求を受信し、プリンタ，表示装置等の出力装置（図示せず）へ出力する機能を有する。コンピュータ３００  ｂが備えている記録媒体Ｋ３００  ｂは、ディスク，半導体メモリ，その他の記録媒体であり、コンピュータ３００  ｂを、参照文書取得手段３２０  ，有効期限解析手段３３０  ，有効期限登録制御手段３４０  ，期限文書処置手段３５１  ，確保要求発生手段３８０  ，請求受理手段３９０  として機能させるためのプログラムが記録されている。このプログラムは、コンピュータ３００  ｂによって読み取られ、コンピュータ３００  ｂの動作を制御することで、コンピュータ３００  ｂ上に、参照文書取得手段３２０  ，有効期限解析手段３３０  ，有効期限登録制御手段３４０  ，期限文書処置手段３５１  ，確保要求発生手段３８０  ，請求受理手段３９０  を実現する。
【００６８】
本実施の形態の第３のコンピュータ４００  ａは、費用決済手段４４０  を備えている点と、確保要求受理手段４２０  ，参照文書取得手段４３０  の代わりにそれぞれ確保要求受理手段４２１  ，参照文書取得手段４３１  を備えている点が、図９の第３のコンピュータ４００  と相違している。
【００６９】
確保要求受理手段４２１  は、確保要求受理手段４２０  が備えている機能に加えて、受理した確保要求の内容を費用決済手段４４０  に通知する機能を有する。参照文書取得手段４３１  は、参照文書取得手段４３０  が備えている機能に加えて、バックアップ文書格納手段４１０  にバックアップした確保参照先文書４１１  のサイズ及び保持期限を費用決済手段４４０  に通知する機能を有する。費用決済手段４４０  は、参照文書取得手段４３１  から通知されたサイズ，保持期限に基づいて請求金額を算出する機能や、上記請求金額や、確保要求受理手段４２１  から通知された確保要求の内容等を含む費用請求を第２のコンピュータ３００  ｂへ送信する機能を有する。
【００７０】
第３のコンピュータ４００  ａが備えている記録媒体Ｋ４００  ａは、ディスク，半導体メモリ，その他の記録媒体であり、コンピュータ４００  ａを確保要求受理手段４２１  ，参照文書取得手段４３１  ，費用決済手段４４０  として機能させるためのプログラムが記録されている。このプログラムは、コンピュータ４００  ａによって読み取られ、コンピュータ４００  ａの動作を制御することで、コンピュータ４００  ａ上に、確保要求受理手段４２１  ，参照文書取得手段４３１  ，費用決済手段４４０  を実現する。
【００７１】
第３のコンピュータ４００  ａ内の確保要求受理手段４２１  は、第２のコンピュータ３００  ｂからの確保要求を受信すると、その内容を参照文書取得手段４３１  及び費用決済手段４４０  に通知する。参照文書取得手段４３１  は、確保要求によって要求されている参照先文書２１１を第１のコンピュータ２００  から取得し、それを確保参照先文書４１１  としてバックアップ文書格納手段４１０  に保存すると共に、そのサイズ及び保持期限を費用決済手段４４０  に通知する。費用決済手段４４０  は、サイズ及び保持期限に基づいて請求金額を算出し、この算出した請求金額や確保要求受理手段４２１  から通知された確保要求の内容等を含む費用請求を第２のコンピュータ３００  ｂへ送信する。
【００７２】
第２のコンピュータ３００  ｂ内の請求受理手段３９０  は、第３のコンピュータ４００  ａからの費用請求を受理すると、それをプリンタ，表示装置等の出力装置に出力することにより、管理者に費用請求を提示する。これにより、管理者は請求された費用の支払いを行う。また、請求受理手段３９０  に、費用決済手段４４０  に対して電子的に費用を支払う機能を持たせ、費用決済手段４４０  から費用の支払いが請求された場合、電子的に費用を支払うようにしても良い。
【００７３】
また、費用の決済を、図１３に例示するように、計算機ネットワーク１００  に接続された、第２のコンピュータ３００  ｂおよび第３のコンピュータ４００  ａとは別の決済機関５００  を通じて遂行しても良い。この場合には第２のコンピュータ３００  ｂの請求受理手段３９０  および第３のコンピュータ４００  ａの費用決済手段４４０  は決済機関５００  に対して決済処理を行う。
【００７４】
【発明の効果】
本発明によれば、計算機ネットワーク上に分散された電子文書間の参照において、参照先の情報の更新が発生するより前に、参照元が更新時期と更新内容を知って、参照先データが変更、移動、削除された場合にも適切な参照を維持可能にする分散情報確保装置の提供が可能となる。
【００７５】
また、参照先文書の確保を必ずしも参照元のコンピュータでおこなう必要が無く、第３のコンピュータに確保し、それを参照することで適切な参照を維持可能にする分散情報確保装置および、該分散情報確保装置に基づいた分散情報確保ビジネスビジネスシステムの提供が可能となる。
【図面の簡単な説明】
【図１】本発明に係る分散情報確保装置の第１の実施の形態の構成例を示すブロック図である。
【図２】参照先文書２１１  の一例を示す図である。
【図３】参照元文書３１１  の一例を示す図である。
【図４】参照文書取得手段３２０  の処理例を示す流れ図である。
【図５】期限文書処置手段３５０  の処理例を示す流れ図である。
【図６】バックアップされた参照先文書を指し示すようにリンク情報が書き換えられた参照元文書３１１  の一例を示す図である。
【図７】参照先文書が更新される際の処置の記述を含む参照元文書３１１  の一例を示す図である。
【図８】バックアップされた更新前の参照先文書と更新後の新しい参照先文書の両方を参照可能なようにリンク情報が追加された後の参照元文書３１１  の一例を示す図である。
【図９】本発明に係る分散情報確保装置の第２の実施の形態の構成例を示すブロック図である。
【図１０】第３のコンピュータに確保された確保参照先文書を指すようにリンク情報が書き換えられた参照元文書の一例を示す図である。
【図１１】確保参照先文書４１１  の一例を示す図である。
【図１２】本発明に係る分散情報確保ビジネスシステムの実施の形態の構成例を示すブロック図である。
【図１３】図１２に示す第２，第３のコンピュータとは別の決済機関を含む分散情報確保ビジネスシステムの構成例を示すブロック図である。
【符号の説明】
１００…計算機ネットワーク
２００…第１のコンピュータ
２１０…電子文書格納手段
２１１…参照先文書
２１２…有効期限情報
２２０…有効期限設定手段
３００，３００ａ，３００ｂ…第２のコンピュータ
３１０…電子文書格納手段
３１１…参照元文書
３１２…リンク情報
３１３…リンク情報
３２０…参照文書取得手段
３３０…有効期限解析手段
３４０…有効期限登録制御手段
３５０…期限文書処置手段
３５１…期限文書処置手段
３６０…有効期限格納手段
３７０…第２のコンピュータのバックアップ文書格納手段
３８０…確保要求発生手段
３９０…第２のコンピュータの請求受理手段
４００，４００ａ…第３のコンピュータ
４１０…第３のコンピュータのバックアップ文書格納手段
４１１…確保参照先文書
４１２…保持期限情報
４２０…確保要求受理手段
４３０…参照文書取得手段
４４０…第３のコンピュータの費用決済手段
Ｋ２００，Ｋ３００，Ｋ３００ａ，Ｋ３００ｂ，Ｋ４００，Ｋ４００ａ…記録媒体
５００…決済機関
【図１】
0003584837.tif 000002
【図２】
0003584837.tif 000003
【図３】
0003584837.tif 000004
【図４】
0003584837.tif 000005
【図５】
0003584837.tif 000006
【図６】
0003584837.tif 000007
【図７】
0003584837.tif 000008
【図８】
0003584837.tif 000009
【図９】
0003584837.tif 000010
【図１０】
0003584837.tif 000011
【図１１】
0003584837.tif 000012
【図１２】
0003584837.tif 000013
【図１３】
0003584837.tif 000014